(57)【要約】【課題】情報記憶媒体としてのディスクに対して情報の書き込み／読み出しを行なうディスク装置、ディスク装置を含む電子機器、ディスク装置と電子装置とを接続するコネクタにおいて、不都合なく低消費電力化を図ること。【解決手段】リザーブコネクタピンを設定する接続規格にコンパチブルなコネクタであって、第１の電源入力用コネクタピンと、第２の電源入力用コネクタピンと、接続規格ではリザーブコネクタピンが配置されるべきコネクタ内の位置に設けられたピン状突起のない部位とを有するコネクタと、第２の電源入力用コネクタピンに電気的に接続して設けられ、第２の電源入力用コネクタピンに入力される電源電圧を変換することが可能な電源電圧変換回路とを具備する。【選択図】　　　図２
2004087019.tif 000002
【特許請求の範囲】
【請求項１】
リザーブコネクタピンを設定する接続規格にコンパチブルなコネクタであって、第１の電源入力用コネクタピンと、第２の電源入力用コネクタピンと、前記接続規格では前記リザーブコネクタピンが配置されるべき前記コネクタ内の位置に設けられたピン状突起のない部位とを有する前記コネクタと、前記第２の電源入力用コネクタピンに電気的に接続して設けられ、前記第２の電源入力用コネクタピンに入力される電源電圧を変換することが可能な電源電圧変換回路と
を具備することを特徴とするディスク装置。
【請求項２】
前記接続規格は、ＡＴＡ規格であり、ピン状突起のない前記部位は、前記ＡＴＡ規格では４４番ピンが配置されるべき位置の部位であることを特徴とする請求項１記載のディスク装置。
【請求項３】
ディスク装置と、リザーブコネクタピンを設定する接続規格にコンパチブルなコネクタを介して前記ディスク装置が接続された電子装置とを具備し、
前記ディスク装置は、
第１の電源入力用コネクタピンと、第２の電源入力用コネクタピンと、前記接続規格では前記リザーブコネクタピンが配置されるべき位置に設けられたピン状突起のない部位とを有する凸側コネクタと、
前記第２の電源入力用コネクタピンに電気的に接続して設けられ、前記第２の電源入力用コネクタピンに入力される電源電圧を変換することが可能な電源電圧変換回路とを有し、
前記電子装置は、
前記ディスク装置の前記凸側コネクタに嵌合する凹側コネクタであって、前記凸側コネクタのピン状突起のない前記部位に対向する部位にピン挿入部を有しない前記凹側コネクタと、
前記凹側コネクタを介して前記凸側コネクタの前記第１および第２の電源入力用コネクタピンに電源電圧を供給する電源制御部とを有する
ことを特徴とする電子機器。
【請求項４】
前記接続規格は、ＡＴＡ規格であり、前記凸側コネクタのピン状突起のない前記部位は、前記ＡＴＡ規格では４４番ピンが配置されるべき位置の部位であることを特徴とする請求項３記載の電子機器。
【請求項５】
リザーブコネクタピンを設定する接続規格にコンパチブルなコネクタであって、
第１の電源入力用コネクタピンと、
第２の電源入力用コネクタピンと、
前記接続規格では前記リザーブコネクタピンが配置されるべき前記コネクタ内の位置に設けられたピン状突起のない部位と
を具備することを特徴とするコネクタ。
【請求項６】
前記接続規格は、ＡＴＡ規格であり、ピン状突起のない前記部位は、前記ＡＴＡ規格では４４番ピンが配置されるべき位置の部位であることを特徴とする請求項５記載のコネクタ。
【請求項７】
リザーブコネクタピンを設定する接続規格にほぼコンパチブルであり完全にはコンパチブルではないコネクタであって、
第１の電源出力用コネクタピン挿入部と、
第２の電源出力用コネクタピン挿入部と、
前記接続規格では前記リザーブコネクタピンが挿入されるべき前記コネクタ内の位置に設けられたピン挿入部を有しない部位と
を具備することを特徴とするコネクタ。
【請求項８】
前記接続規格は、ＡＴＡ規格であり、ピン挿入部を有しない前記部位は、前記ＡＴＡ規格では４４番ピンが挿入されるべき位置の部位であることを特徴とする請求項７記載のコネクタ。
【請求項９】
リザーブコネクタピンを設定する接続規格にコンパチブルな凸側コネクタであって、第１の電源入力用コネクタピンと、第２の電源入力用コネクタピンと、前記接続規格では前記リザーブコネクタピンが配置されるべき位置に設けられたピン状突起のない部位と有する前記凸側コネクタと、
リザーブコネクタピンを設定する前記接続規格にほぼコンパチブルであり完全にはコンパチブルではない凹側コネクタであって、前記第１の電源用コネクタピンが挿入され得る第１の電源出力用コネクタピン挿入部と、前記第２の電源入力用コネクタピンが挿入され得る第２の電源出力用コネクタピン挿入部と、前記接続規格では前記リザーブコネクタピンが挿入されるべき位置に設けられたピン挿入部を有しない部位とを有する前記凹側コネクタと
を具備することを特徴とするコネクタ。
【請求項１０】
前記接続規格は、ＡＴＡ規格であり、前記凸側コネクタのピン状突起のない前記部位は、前記ＡＴＡ規格では４４番ピンが配置されるべき位置の部位であり、前記凹側コネクタのピン挿入部を有しない前記部位は、前記ＡＴＡ規格では４４番ピンが挿入されるべき位置の部位であることを特徴とする請求項９記載のコネクタ。
【発明の詳細な説明】
【０００１】
【発明の属する技術分野】
本発明は、情報記憶媒体としてのディスクに対して情報の書き込み／読み出しを行なうディスク装置、ディスク装置を含む電子機器、ディスク装置と電子装置とを接続するコネクタに係り、特に、低消費電力化に好適なディスク装置、電子機器、およびコネクタに関する。
【０００２】
【従来の技術】
磁気ディスク装置は、ホスト側と所定の接続規格により接続される。例えば、３．５インチ磁気ディスク装置、２．５インチ磁気ディスク装置では、この接続規格に則って所定のコネクタが用いられる。コネクタにおいては、ホスト側から磁気ディスク装置側への電源供給規格も定められている。例えば、ピン配置、供給電圧値などである。ちなみに、供給電圧値についていうと、３．５インチ磁気ディスク装置では、モータなどの駆動用として１２Ｖ、そのほかの制御回路用として５Ｖが、２．５インチ磁気ディスク装置では、モータなどの駆動用そのほかの制御回路用ともに５Ｖが、それぞれ供給されるのが一般的である。
【０００３】
なお、磁気ディスク装置では、内部に供給電圧の監視回路が設けられ、一定レベルを切るとリセットがかかるようになっている。異常な動作を防止するためである。リセットがかかる電圧値は、スピンドルモータの起動に必要なレベルや回路動作に必要なレベルから決められる。
【０００４】
２．５インチ磁気ディスク装置は、主としてノートタイプ（モバイル型）のＰＣ（パーソナルコンピュータ）に使われるので、そのバッテリ使用時間を延ばすためには、コネクタを介して供給された電力の低消費化は重要な課題である。この課題は、記憶容量の増大や転送の高速化などの基本的性能の向上と質的には異なるものの重要性においては同等である。なお、モバイル型ＰＣでは、磁気ディスク装置だけでなく、これまでにもＣＰＵ（ｃｅｎｔｒａｌ　ｐｒｏｃｅｓｓｉｎｇ　ｕｎｉｔ）や液晶ディスプレイの低消費電力化が進められてきている。
【０００５】
図７は、従来の２．５インチ磁気ディスク装置の回路構成を、供給電源系の観点から説明する図である。図７に示すように、磁気ディスク装置１１０には、２系統の５Ｖの供給口５ＶＭ、５ＶＤがある。これらの供給口５ＶＭ、５ＶＤには、接続規格に則るコネクタを介してホスト（ＰＣ本体）側から５Ｖの電圧が供給される。
【０００６】
５ＶＭに供給された電圧は、主としてスピンドルモータを駆動するための制御回路であるモータドライバ（ＩＣ化されている。ＩＣは、ｉｎｔｅｇｒａｔｅｄ　ｃｉｒｃｕｉｔ）１１１に導かれる。これにより、スピンドルモータは、５ＶＭに供給された電圧により電力を得る。モータドライバ１１１内には、このほかにレギュレータ１１７が備えてあり、レギュレータ１１７には５ＶＤに供給された電圧が導かれる。５ＶＤに供給された電圧は、モータドライバ１１１とヘッドＩＣ１２にも導かれており、それらの内部回路用の電源供給となる。
【０００７】
レギュレータ１１７では、３．３Ｖ、１．８Ｖ、−３Ｖの電圧が生成される。この生成された電圧のうち、３．３Ｖは、リードライトチャネルＩＣ１３、ＣＰＵ１４、ＨＤＣ（ハードディスクコントローラ）１５、ＤＲＡＭ（ｄｙｎａｍｉｃ　ｒａｎｄｏｍ　ａｃｃｅｓｓ　ｍｅｍｏｒｙ）１６に導かれる。１．８Ｖは、リードライトチャネルＩＣ１３、ＨＤＣ１５に導かれる。−３Ｖは、ヘッドＩＣ１２に導かれる。なお、レギュレータ１１７内には、リセット回路１１７ａが設けられ、５ＶＤに供給されている電圧が一定レベルを切ると、リセット信号が生成される。生成されたリセット信号は、所定のＩＣに出力されそれらのＩＣをリセット状態にする。
【０００８】
ちなみに、レギュレータ１１７による電圧変換に代えてコンバータを用いても５Ｖを上記のような電圧に変換することができる（例えば、特開平４−３４９２６７号公報を参照）。レギュレータでは、シリーズ抵抗により無駄に電力が消費されるが、コンバータはこの点で低消費電力化に適している。ただし、依然、損失はある。
【０００９】
図８は、図７で説明の２．５インチ磁気ディスク装置１１０をコネクタ１３０を介してホスト１２０と接続した場合の構成を示すブロック図である。図８において、図７と同一相当の構成には同一符号を付してある。
【００１０】
磁気ディスク装置１１０の内部構成は、図７に示したものと同様である。補足すると、ＨＤＣ１５は、ＤＲＡＭ１６との間でデータの一時格納、読み出しを行なう。また、ＨＤＣ１５は、ＣＰＵ１４の制御の下で動作し、制御のためのプログラムと、５ＶＤに供給された電圧など電源に関する情報１４ａを保持する。電源部１１８は、図７におけるレギュレータ１１７に相当する。電源部１１８とＨＤＣ１５は、コネクタ１３０を介してホスト１２０側との接続を有する。
【００１１】
ホスト１２０の内部構成としては、制御回路（処理部）２１、キーボード入力部２２、ディスプレイ部２３、インターフェース部２４、バッテリ部２５、電力制御部１２６などが存在する。制御回路２１は、構成各部に対しての制御および情報処理を行なうものである。このため、キーボード入力部２２、ディスプレイ部２３、インターフェース部２４と有機的に結合している。バッテリ部２５は、電力制御部１２６を介して、磁気ディスク装置１１０への電力供給やその他の内部構成などへの電力供給を行なう。
【００１２】
このような接続において、電力制御部１２６は、磁気ディスク装置１１０への電力供給について特別な制御を行うことなく動作する。ホスト１２０側から５Ｖの電圧が供給されると磁気ディスク装置１１０の動作が開始し、スピンドルモータが定常回転に達すると磁気ディスク装置１１０はレディ状態になる。レディ状態により、ホスト１２０からコマンドが送られる。
【００１３】
【発明が解決しようとする課題】
上記説明の磁気ディスク装置１１０では、３．３Ｖが主たる回路系としては最大電圧である。これに対してその電源供給は５Ｖで行なっており、磁気ディスク装置１１０での降圧に際して電力の損失が生じる。したがって、この意味では、ホスト１２０側からの電源供給をモータ等で用いる５Ｖとそれ以外の３．３Ｖとで行なうことが低消費電力化には有効である。ただし、２．５インチ磁気ディスク装置には２系統の５Ｖ電圧を供給することが、接続規格（ＡＴＡ規格）で定められており、この点を考慮しなければならない。
【００１４】
ホスト側は、通常２系統の５Ｖを出力する。これに対応して磁気ディスク装置は、通常２系統の５Ｖの入力を行なう。今、仮にホスト側を５Ｖ、３．３Ｖの出力形式（２電圧出力形式）に変え、磁気ディスク装置側もこれに対応して５Ｖ、３．３Ｖ（２電圧入力形式）の入力形式に変えるとすると、これらの変えられたもの同士では、適合的に接続され、低消費電力化が図れる。
【００１５】
しかし、ホスト側が通常で、磁気ディスク装置側が２電圧入力形式では、不適合で使うことができず、また、ホスト側が２電圧出力形式で、磁気ディスク装置側が通常でも不適合で使うことができない。比較考量すると、ホスト側が従前形式（通常の出力形式）の場合ではいかなる場合においても磁気ディスク装置を含めた動作を保証することが重要である。この意味で、新しい磁気ディスク装置は、通常の２系統５Ｖ出力形式に対応しかつ５Ｖ、３．３Ｖの２電圧出力形式にも対応するように構成するのが上記接続規格との関係でひとつの正しい選択である。このようにすれば、さらに、新しい磁気ディスク装置は下位互換の保証された汎用性の高いものとなる。
【００１６】
そこで新しいホストは、５Ｖ、３．３Ｖの２電圧出力形式となるので、旧来の２系統５Ｖ入力形式の磁気ディスク装置を使うことはできなくなる。しかし、新しい磁気ディスク装置を接続することで低消費電力化が図れるわけでなる。ただし、さらに言うと、旧来の２系統５Ｖ入力形式の磁気ディスク装置を新しいホストに接続すると、磁気ディスク装置側で２系統の５Ｖが電気的に分離されている保証がないので、ホスト側から供給される５Ｖ、３．３Ｖが短絡されてしまう危険がある。このような短絡は回避されなければならない。
【００１７】
本発明は、上記した事情を考慮してなされたもので、情報記憶媒体としてのディスクに対して情報の書き込み／読み出しを行なうディスク装置、ディスク装置を含む電子機器、ディスク装置と電子装置とを接続するコネクタにおいて、不都合なく低消費電力化を図ることができるディスク装置、電子機器、およびコネクタを提供することを目的とする。
【００１８】
【課題を解決するための手段】
上記の課題を解決するため、本発明に係るディスク装置は、リザーブコネクタピンを設定する接続規格にコンパチブルなコネクタであって、第１の電源入力用コネクタピンと、第２の電源入力用コネクタピンと、前記接続規格では前記リザーブコネクタピンが配置されるべき前記コネクタ内の位置に設けられたピン状突起のない部位とを有する前記コネクタと、前記第２の電源入力用コネクタピンに電気的に接続して設けられ、前記第２の電源入力用コネクタピンに入力される電源電圧を変換することが可能な電源電圧変換回路とを具備することを特徴とする。
【００１９】
すなわち、このディスク装置では、第２の電源入力用コネクタピンに入力される電源電圧を変換することが可能な電源電圧変換回路の機能により、第２の電源の電圧は例えば５Ｖでも３．３Ｖでもよい。３．３Ｖで供給される場合には、電圧の降圧による電力の損失が発生しない。
【００２０】
また、リザーブコネクタピンが配置されるべきコネクタ内の位置に設けられたピン状突起のない部位の存在により、旧来のホストへの接続に支障が生じず、さらに新しいホストへの接続にも支障は生じない。新しいホストでは、ピン状突起のない部位に対向するコネクタの位置を物理的にピン挿入不可に改変することができる。これにより、旧来のディスク装置が新しいホストに誤接続されることがなくなる。したがって、不都合なく、ディスク装置の低消費電力化を図ることができる。
【００２１】
なお、ディスク装置は、磁気ディスク装置に限らず、例えば光ディスク装置など、情報記憶媒体としてのディスクに対して情報の書き込み／読み出しを行なうものを含む。これは以下でも同様である。
【００２２】
また、本発明に係る電子機器は、ディスク装置と、リザーブコネクタピンを設定する接続規格にコンパチブルなコネクタを介して前記ディスク装置が接続された電子装置とを具備し、前記ディスク装置は、第１の電源入力用コネクタピンと、第２の電源入力用コネクタピンと、前記接続規格では前記リザーブコネクタピンが配置されるべき位置に設けられたピン状突起のない部位とを有する凸側コネクタと、前記第２の電源入力用コネクタピンに電気的に接続して設けられ、前記第２の電源入力用コネクタピンに入力される電源電圧を変換することが可能な電源電圧変換回路とを有し、前記電子装置は、前記ディスク装置の前記凸側コネクタに嵌合する凹側コネクタであって、前記凸側コネクタのピン状突起のない前記部位に対向する部位にピン挿入部を有しない前記凹側コネクタと、前記凹側コネクタを介して前記凸側コネクタの前記第１および第２の電源入力用コネクタピンに電源電圧を供給する電源制御部とを有することを特徴とする。
【００２３】
この電子機器は、上記のディスク装置を電子装置（例えばホストであるＰＣ本体）に接続して構成されたものである。ディスク装置の凸側コネクタと電子装置の凹側コネクタとにより両者の接続がなされる。この場合も、旧来のディスク装置が上記の電子装置に誤接続されることがなくなり、したがって、不都合なく低消費電力化を図ることができる。なお、電子機器には、ディスク装置を含むシステムとしてのＰＣが含まれる。
【００２４】
また、本発明に係るコネクタは、リザーブコネクタピンを設定する接続規格にコンパチブルなコネクタであって、第１の電源入力用コネクタピンと、第２の電源入力用コネクタピンと、前記接続規格では前記リザーブコネクタピンが配置されるべき前記コネクタ内の位置に設けられたピン状突起のない部位とを具備することを特徴とする。これは、上記の凸側コネクタである。
【００２５】
また、本発明に係るコネクタは、リザーブコネクタピンを設定する接続規格にほぼコンパチブルであり完全にはコンパチブルではないコネクタであって、第１の電源出力用コネクタピン挿入部と、第２の電源出力用コネクタピン挿入部と、前記接続規格では前記リザーブコネクタピンが挿入されるべき前記コネクタ内の位置に設けられたピン挿入部を有しない部位とを具備することを特徴とする。これは、上記の凹側コネクタである。
【００２６】
また、本発明に係るコネクタは、リザーブコネクタピンを設定する接続規格にコンパチブルな凸側コネクタであって、第１の電源入力用コネクタピンと、第２の電源入力用コネクタピンと、前記接続規格では前記リザーブコネクタピンが配置されるべき位置に設けられたピン状突起のない部位と有する前記凸側コネクタと、リザーブコネクタピンを設定する前記接続規格にほぼコンパチブルであり完全にはコンパチブルではない凹側コネクタであって、前記第１の電源用コネクタピンが挿入され得る第１の電源出力用コネクタピン挿入部と、前記第２の電源入力用コネクタピンが挿入され得る第２の電源出力用コネクタピン挿入部と、前記接続規格では前記リザーブコネクタピンが挿入されるべき位置に設けられたピン挿入部を有しない部位とを有する前記凹側コネクタとを具備することを特徴とする。これは、上記の凸側コネクタおよび凹側コネクタである。
【００２７】
【発明の実施の形態】
本発明の実施態様として、前記接続規格は、ＡＴＡ規格であり、ピン状突起のない前記部位は、前記ＡＴＡ規格では４４番ピンが配置されるべき位置の部位である。
【００２８】
また、実施態様として、前記接続規格は、ＡＴＡ規格であり、ピン挿入部を有しない前記部位は、前記ＡＴＡ規格では４４番ピンが挿入されるべき位置の部位である。
【００２９】
以上を踏まえ、以下では本発明の実施形態を図面を参照しながら説明する。図１は、本発明の一実施形態たる２．５インチ磁気ディスク装置の回路構成を、供給電源系の観点から説明する図である。
【００３０】
図１に示すように、この磁気ディスク装置１０には、２系統の電源電圧（５Ｖ、３．３Ｖ）の供給口があり、これらの供給口には、接続規格にコンパチブルなコネクタ（後述する）を介してホスト（ＰＣ本体）側から５Ｖおよび３．３Ｖの電圧が供給される。３．３Ｖの電圧供給については、３．３Ｖ以上であればほかの電圧でもよい。例えば５Ｖを供給することができる。以下では、区別のため、図１の「５Ｖ」に供給されるものを第１の電圧、「３．３Ｖ」に供給されるものを第２の電圧という。
【００３１】
第１の電圧は、主としてスピンドルモータを駆動するための制御回路であるモータドライバ（ＩＣ）１１に導かれる。これにより、スピンドルモータは、第１の電圧により電力を得る。モータドライバ１１内には、このほかに電圧変換回路が備えてあり、ヘッドＩＣ１２用の−３Ｖを発生する。第１の電圧は、それぞれ５ＶＤ、５ＶＡの名称でモータドライバ１１とヘッドＩＣ１２とにも導かれ、それらの内部回路用の電源となる。
【００３２】
電源変換ＬＳＩ１７では、第２の電圧が接続・入力されることで、３．３Ｖ、１．８Ｖの電圧が生成される。この電圧生成は、第２の電圧が上記所定の電圧である場合には、この第２の電圧の値にかかわらず行なわれる。生成電圧のうち、３．３Ｖは、リードライトチャネルＩＣ１３、ＣＰＵ１４、ＨＤＣ１５、ＤＲＡＭ１６に導かれる。１．８Ｖは、リードライトチャネルＩＣ１３、ＨＤＣ１５に導かれる。
【００３３】
上記でも述べたが、電源変換ＬＳＩ１７には、好ましくは３．３Ｖが供給されるが、これ以上の電圧例えば５Ｖが供給される場合があり得る。後者の場合、旧来のホストとの接続としてコンパチブル（下位互換）になる。３．３Ｖが供給される場合には、降圧に伴う電力損失が大きく削減される。したがって、低消費電力化が達成される。なお、符号１８は、電源部として他の部分と区別される範囲を示す。
【００３４】
図２は、図１で説明の、本発明の一実施形態たる２．５インチ磁気ディスク装置１０をコネクタ３０を介してホスト２０と接続した場合の構成を示すブロック図である。図２において、図１と同一相当の構成には同一符号を付してある。
【００３５】
磁気ディスク装置１０の内部構成は、図１に示したものと同様である。補足すると、ＨＤＣ１５は、ＤＲＡＭ１６との間でデータの一時格納、読み出しを行なう。また、ＨＤＣ１５は、ＣＰＵ１４の制御の下で動作し、制御のためのプログラムと、この磁気ディスク装置に供給された電圧など電源に関する情報１４ａを保持する。電源部１８とＨＤＣ１５は、コネクタ３０を介してホスト２０側との接続を有する。
【００３６】
ホスト２０の内部構成としては、制御回路（処理部）２１、キーボード入力部２２、ディスプレイ部２３、インターフェース部２４、バッテリ部２５、電力制御部２６などが存在する。制御回路２１は、構成各部に対しての制御および情報処理を行なうものである。このため、キーボード入力部２２、ディスプレイ部２３、インターフェース部２４と有機的に結合している。
【００３７】
バッテリ部２５は、電力制御部２６を介して、磁気ディスク装置１０への電力供給やその他の内部構成などへの電力供給を行なう。ここで、電力制御部２６は、バッテリ部２５を電力源として少なくとも第１の電圧と第２の電圧とを発生可能な制御部である。発生された第１の電圧と第２の電圧とは、コネクタ３０を介して磁気ディスク装置１０に供給される。
【００３８】
なお、電力制御部２６は、磁気ディスク装置１０への電力供給について省電力制御を行うように動作させてもよい。例えば、供給電圧である５Ｖ、３．３Ｖを磁気ディスク装置１０の動作状況に応じて、アクティブ／非アクティブの切換えを行なうなどである。
【００３９】
図３は、図２に示す接続を実現するコネクタ３０の信号配置を示す図である。この信号配置は、次述するように、２．５インチ磁気ディスク装置で通常用いられるＡＴＡ規格にコンパチブル（下位互換）である。
【００４０】
すなわち、図３におけるピン番号１から４３までは、ＡＴＡ規格をほぼそのまま踏襲している。ピン番号４２は、主にモータを回転駆動するための５Ｖである。ピン番号４１については、３．３Ｖでも５Ｖでもよいとして下位互換を確保している。ピン番号４２と４１とが、図１、図２で説明した２系統の電源電圧を供給するピン（第１の電源入力用コネクタピン、第２の電源入力用コネクタピン）である。ピン番号４４については、ＡＴＡ規格ではリザーブとされているが、ここでは、非接続（ＮＣ）として用いる。
【００４１】
図４は、上記のコネクタ３０の具体的な態様を示す図であり、コネクタ３０のうち磁気ディスク装置１０側の設けられる凸側コネクタ３０ａを示す斜視図である。図４（ａ）は、ピンの設けられる側から見た全体図であり、図４（ｂ）は、ピンの設けられた側とは反対側の一部拡大図である。図４に示すように、このコネクタ３０ａは、基本的に２列にピンが配置され、凹側のコネクタ（後述する図５）との挿抜が可能に構成されるものである（ピン近くに主なピン番号を付す。）。
【００４２】
図４においてピン番号２０の位置にはピンがない。これに対応して凹側コネクタの対応位置にピン挿入口を設けないようにすることで、上下反対のコネクタ挿入（誤挿入）を防止するためである。これは、ＡＴＡ規格を踏襲した誤挿入防止である。
【００４３】
さらに、この実施形態では、図４（ａ）に示すように、ピン番号４４の位置にもピンを設けないようにする（ピン状突起のない部位とする）。これに伴い、図４（ｂ）に示すように、この凸側コネクタ３０ａを基板に例えば半田リフローで接続するための端子についても、端子自体を削除するようにしてもよい。（もちろんこの端子自体については、削除しなくてもよい。）
【００４４】
このような凸側コネクタ３０ａを有する磁気ディスク装置は、旧来のホストに対しての接続可能性が維持されている。この意味で下位互換が達成されている。
【００４５】
図５は、図４に示した凸側コネクタ３０ａに対応する凹側コネクタ３０ｂを示す斜視図であり、図２に示したコネクタ３０のうちホスト２０側に設けられるものに相当する（ピン挿入口（ピン挿入部）近くに主なピン番号を付す。）。
【００４６】
図５に示すように、この実施形態では、ピン番号４４に相当する部位にピン挿入口を設けていない。このような構造の凹側コネクタ３０ｂに対して、図４に示した凸側コネクタ３０ａでは、支障なくコネクタ３０ａ全体として挿入することができる。したがって、すでに説明したように、低消費電力化を実現することができる。
【００４７】
ただし、凸側コネクタとして４４番ピンが存在するもの（すなわち旧来のもの）をこの凹側コネクタ３０ｂに挿入しようとすると、４４番ピンが障害となって接続することができない。ホスト２０の側にこの凹側コネクタ３０ｂを設けるのは、２電圧出力形式であることのある種の表示であるとともに、旧来の磁気ディスク装置が接続されることにより２つの電圧（５Ｖ、３．３Ｖ）が磁気ディスク装置側で短絡されることを防止するためである。したがって、低消費電力化に対応するホスト２０として接続上の不都合を回避することできる。
【００４８】
なお、ピン番号４４に相当する部位にピン挿入口を設けないようにするには、コネクタ３０ｂの成形形状を変更することのほか、旧来のものを改造してピン挿入口を塞ぐようにしてもよい。
【００４９】
図６は、ホスト２０上での磁気ディスク装置１０の一使用態様を示す斜視図である。同図に示すように、磁気ディスク装置１０をホスト２０のスロット口２０ａに挿入し使用することができる。このような態様では、磁気ディスク装置１０の交換が容易である。すでに述べたように、磁気ディスク装置１０は、下位互換の確保されている凸側コネクタ３０ａにより旧来のホストに組み込んで使用することもできる。
【００５０】
なお、以上の説明では、磁気ディスク装置を例に挙げ、接続規格としてＡＴＡ規格をとりあげたが、本発明によれば、その構成要件から明らかなように、これ以外のディスク装置などでも同様な態様をとることができる。
【００５１】
【発明の効果】
以上詳述したように、本発明によれば、第２の電源入力用コネクタピンに入力される電源電圧を変換することが可能な電源電圧変換回路の機能により、第２の電源の電圧は例えば５Ｖでも３．３Ｖでもよい。また、リザーブコネクタピンが配置されるべきコネクタ内の位置に設けられたピン状突起のない部位の存在により、旧来のホストへの接続に支障が生じず、さらに新しいホストへの接続にも支障は生じない。新しいホストでは、ピン状突起のない部位に対向するコネクタの位置を物理的にピン挿入不可に改変することができる。これにより、旧来のディスク装置が新しいホストに誤接続されることがなくなる。したがって、不都合なく、ディスク装置の低消費電力化を図ることができる。
【図面の簡単な説明】
【図１】本発明の一実施形態たる２．５インチ磁気ディスク装置の回路構成を、供給電源系の観点から説明する図。
【図２】図１で説明の、本発明の一実施形態たる２．５インチ磁気ディスク装置１０をコネクタ３０を介してホスト２０と接続した場合の構成を示すブロック図。
【図３】図２に示す接続を実現するコネクタ３０の信号配置を示す図。
【図４】図２中のコネクタ３０の具体的な態様を示す図であり、コネクタ３０のうち磁気ディスク装置１０側の設けられる凸側コネクタ３０ａを示す斜視図。
【図５】図４に示した凸側コネクタ３０ａに対応する凹側コネクタ３０ｂを示す斜視図。
【図６】図２に示したホスト２０上での磁気ディスク装置１０の一使用態様を示す斜視図。
【図７】従来の２．５インチ磁気ディスク装置の回路構成を、供給電源系の観点から説明する図。
【図８】図７で説明の２．５インチ磁気ディスク装置１１０をコネクタ１３０を介してホスト１２０と接続した場合の構成を示すブロック図。
【符号の説明】
１０…磁気ディスク装置　１１…モータドライバＩＣ　１２…ヘッドＩＣ　１３…リードライトチャネルＩＣ　１４…ＣＰＵ　１４ａ…プログラムおよび電源情報　１５…ＨＤＣ　１６…ＤＲＡＭ　１７…電源変換ＬＳＩ　１８…電源部　２０…ホスト（電子装置）　２０ａ…スロット口　２１…制御回路（処理部）　２２…キーボード部　２３…ディスプレイ部　２４…インターフェース部　２５…バッテリ部　２６…電力制御部　３０…コネクタ　３０ａ…凸側コネクタ　３０ｂ…凹側コネクタ
【図１】
2004087019.tif 000003
【図２】
2004087019.tif 000004
【図３】
2004087019.tif 000005
【図４】
2004087019.tif 000006
【図５】
2004087019.tif 000007
【図６】
2004087019.tif 000008
【図７】
2004087019.tif 000009
【図８】
2004087019.tif 000010